(57)【特許請求の範囲】
【請求項１】
超音波動画のリアルタイムサービス方法において，
（ａ）ＰＣで超音波動画のリアルタイムサービスプログラムにログインする段階と，
（ｂ）インターネットを介して超音波動画のリアルタイムサービスを利用することができる基本コンテンツとシリアルナンバーが保存され，前記シリアルナンバーに対応する前記ＣＤ表面に表示したバーコードをバーコードリーダーにより読み込んでＰＣに入力する段階と；
（ｃ）前記超音波動画のリアルタイムサービスプログラムにおいて超音波映像サービスの始動信号を入力した後超音波映像を撮影し，撮影した超音波映像とバーコードを前記ＰＣに接続した中央サーバーに送る段階と；
（ｄ）前記中央サーバーで前記バーコードに対応するシリアルナンバーに対応付けて受信された超音波映像を保存する段階と；
（ｅ）インターネット通信網により前記中央サーバーと接続可能なＰＣで前記ＣＤの挿入によって前記ＣＤに保存された基本コンテンツを読み込み前記中央サーバーに自動接続する段階；及び
（ｆ）前記ＣＤに保存されたシリアルナンバーと対応する動画を前記中央サーバーからストリーミング又はダウンロードする段階；
を含むことを特徴とする超音波動画のリアルタイムサービス方法。
【請求項２】
前記超音波動画のリアルタイムサービス方法は，
（ｇ）前記中央サーバーでインターネット通信網を介して開設した超音波動画のリアルタイムサービスコンテンツを介して会員登録及び入会を受ける段階と；
（ｈ）前記超音波動画リアルタイムのサービスコンテンツに接続時アイディー（ＩＤ）及びパスワードを入力して認証過程を遂行する段階と；
（ｉ）前記ＣＤに保存されたシリアルナンバーを入力して認証過程を遂行する段階；及び
（ｊ）前記シリアルナンバーに対応する超音波動画をストリーミング又はダウンロードする段階；
をさらに含むことを特徴とする請求項１記載の超音波動画のリアルタイムサービス方法。
【請求項３】
前記超音波動画のリアルタイムサービス方法は，
（ｂ１）前記（ｂ）段階で前記ＣＤのバーコードを前記バーコードリーダーを介して読み込めば前記ＰＣのモニターに電子署名することができる署名入力ウインドウを生成する段階；及び
（ｂ２）前記署名入力ウインドウに署名を入力すれば前記シリアルナンバーに対応する超音波動画をダウンロードできる承認過程を遂行する段階；
をさらに含むことを特徴とする請求項１記載の超音波動画のリアルタイムサービス方法。
【請求項４】
超音波動画のリアルタイムサービスシステムにおいて，
インターネットを介して超音波動画のリアルタイムサービスを利用することができる基本コンテンツとシリアルナンバーが保存され，前記シリアルナンバーに対応するバーコードを表面に表示したＣＤと；
前記ＣＤのバーコードを読み込むバーコードリーダーと，超音波を撮影する超音波機器を含んだ医療機器とが接続されていて，内部に保存された超音波動画のリアルタイムサービスプログラムにログインした後，超音波映像サービスの始動信号を入力すれば撮影した超音波映像とバーコードを中央サーバーに送る複数のＰＣと；
前記複数のＰＣからネットワーク通信網を介して超音波映像とバーコードを受信し，前記バーコードに対応するシリアルナンバーに対応付けて受信された超音波映像を保存して，インターネットを介して接続した使用者ＰＣから会員認証過程を経た後，入力したシリアルナンバーに対応する超音波動画を前記使用者ＰＣでストリーミング又はダウンロードする中央サーバー；及び
前記ＣＤの挿入によって前記ＣＤに保存された基本コンテンツを読み込み前記超音波動画のリアルタイムサービスコンテンツに自動接続して，前記ＣＤに保存されたシリアルナンバーに対応する超音波動画をストリーミング又はダウンロードする複数の顧客ＰＣ；
を含み構成されたことを特徴とする超音波動画のリアルタイムサービスシステム。
【請求項５】
前記複数の顧客ＰＣは，前記インターネットを介して前記超音波動画のリアルタイムサービスコンテンツに接続した後，前記超音波動画のリアルタイムサービスコンテンツの案内に従って使用者から会員登録に必要なデータを入力して前記中央サーバーに送信し，前記会員登録が完了した後に，アイディー（ＩＤ）及びパスワードを入力して前記中央サーバーに送信し認証過程を遂行して，前記中央サーバーから認証過程が完了した後に付与されたシリアルナンバーを入力して前記中央サーバーに送信し前記シリアルナンバーに対応する超音波動画をストリーミング又はダウンロードすることを特徴とする請求項４記載の超音波動画のリアルタイムサービスシステム。
【請求項６】
前記中央サーバーは，前記超音波動画のリアルタイムサービスプログラムが保存された動画サービスアプリケーションと；
前記シリアルナンバーを生成するシリアルナンバー生成部と；
前記シリアルナンバーに対応するバーコードを生成するバーコード生成部と；
前記ＣＤに保存される基本コンテンツを保存する基本コンテンツ保存部と；
前記会員が入力したアイディー（ＩＤ）及びパスワードをすでに登録されたアイディー（ＩＤ）及びパスワードと比較して会員認証をする会員認証部と；
前記インターネットに接続するためのインターフェースとして作用するインターネット接続モジュール；及び
前記中央サーバーの各構成要素の動作を制御するＣＰＵ；
を含み構成されたことを特徴とする請求項４記載の超音波動画のリアルタイムサービスシステム。
【請求項７】
前記中央サーバーは，会員の情報を保存する会員情報ＤＢ；及び前記超音波動画をシリアルナンバー別で区分して保存する動画情報ＤＢ；を含む構成としたことを特徴とする請求項４又は６記載の超音波動画のリアルタイムサービスシステム。
【請求項８】
超音波動画のリアルタイムサービス方法に関するコンピュータプログラムを保存した記録媒体において，前記記録媒体は，請求項１ないし３いずれか一項に記載した超音波動画のリアルタイムサービス方法に関するコンピュータプログラムを保存したことを特徴とするコンピュータプログラムを保存した記録媒体。
【発明の詳細な説明】
【技術分野】
【０００１】
本発明は，超音波動画のリアルタイムサービスシステム及びその方法とその方法に関するコンピュータプログラムを保存した記録媒体に関し，特に産婦が病院で超音波で診療を受ける際にインターネットを介して産婦の家族などが超音波動画をリアルタイムで見ることができ，病院から受領した基本のコンテンツとシリアルナンバーが保存されたＣＤをインターネットにアクセスが可能なパーソナルコンピュータ（本明細書において，「ＰＣ」という）に入れれば自動で病院の中央サーバーにログインし，前記シリアルナンバーに対応する産婦の超音波動画をストリーミング（streaming）又はダウンロードすることができる超音波動画のリアルタイムサービスシステム及びその方法とその方法に関するコンピュータプログラムを保存した記録媒体に関する。
【背景技術】
【０００２】
最近，産婦人科病院では顧客のサービス次元で産婦が超音波診療を受ける場合超音波動画が保存されたＣＤを発給することが行われている。そして，次の診療の時に支給を受けたＣＤを持参することにより診療日付別で撮影した超音波動画をＣＤに保存する。このように撮影した超音波動画をＣＤに保存し提供する場合，超音波動画を見ることができる基本コンテンツがＣＤに保存されており，動画を見るためのコンテンツをサーバーからストリーミングすることなく自分のＰＣで直ちに見ることができる利点と，ＣＤという視認可能な物品を直接持ち帰ることができるという利点があった。
【発明の開示】
【発明が解決しようとする課題】
【０００３】
しかしながら，上記の産婦に超音波動画が保存されたＣＤを発給するのみのシステムでは，このように病院で産婦の超音波動画をＣＤに保存する方法は，顧客コンテンツを記録する時にＣＤを認識する時間とデータを書き込むための（Writing）時間が必要であり，又，診療の度ごとに一つのＣＤに複数回書き込むことから生じるデータの誤入力及び認識率低下の問題が発生した。
【０００４】
又，従来のＣＤの代わりにインターネットサービスを利用するものにあっては，視認可能なＣＤ等の有形物が存在しないため，すべての顧客に共通的に適用される基本コンテンツまでストリーミング又はダウンロードして見なければならない欠点と，顧客の超音波動画を該当の顧客（産婦）に伝達するために使用するシリアルナンバー（例えば，住民番号，電話番号などの顧客と一対一で対応させるキー値（Key Value）を診療室のＰＣで入力する際，又は顧客がインターネットでそのシリアルナンバーを入力する際誤入力することがあり得る欠点があり，さらに，シリアルナンバーをいちいち入力しなければならず，煩雑な操作を要するという問題点があった。
【０００５】
又，既知のシステムでは産婦が病院で診療を受ける超音波動画を，産婦と一緒に病院へ行かなくては他の者がリアルタイムで確認することができる方法がなかった。
【０００６】
又，既知のシステムでは産婦が超音波動画を撮ったＣＤを病院から受領した後，これを遠隔地にある夫や家族などにＰＣで送らなければ前記動画を見る方法がなかった。
【０００７】
本発明は，前記問題点を解決するために開発されたもので，本発明の目的は，産婦が病院で超音波診療を受ける際にインターネットを介して産婦の家族などが超音波動画をリアルタイムで見ることができる超音波動画のリアルタイムサービスシステム及びその方法とその方法に関するコンピュータプログラムを保存した記録媒体を提供することにある。
【０００８】
又，本発明の他の目的は，産婦が病院から受領した基本コンテンツとシリアルナンバーが保存されたＣＤをインターネットにアクセスが可能なＰＣに入れれば自動で病院の中央サーバーにログインし，シリアルナンバーに対応する産婦の超音波動画をストリーミング（streaming）又はダウンロードすることができる超音波動画のリアルタイムサービスシステム及びその方法とその方法に関するコンピュータプログラムを保存した記録媒体を提供することにある。
【０００９】
又，本発明の他の目的は，病院で産婦に支給した基本コンテンツとシリアルナンバーが保存されたＣＤを診療時持参することにより医師が超音波診療を行う際ＣＤに表示したバーコードをＰＣと接続したバーコードリーダーで読み込まれた後超音波映像を撮影すれば撮影した超音波映像が病院の中央サーバーに送信され，読み込まれたバーコードに対応するシリアルナンバーとともに保存され，インターネットを介してストリーミング又はダウンロードすることができるようにする超音波動画リアルタイムサービスシステム及びその方法とその方法に関するコンピュータプログラムを保存した記録媒体を提供することにある。
【課題を解決するための手段】
【００１０】
前記目的を達成するための本発明による超音波動画リアルタイムサービス方法は，
（ａ）ＰＣで超音波動画のリアルタイムサービスプログラムにログインする段階と，
（ｂ）インターネットを介して超音波動画のリアルタイムサービスを利用することができる基本コンテンツとシリアルナンバーが保存され，前記シリアルナンバーに対応する前記ＣＤ表面に表示したバーコードをバーコードリーダーにより読み込んでＰＣに入力する段階と；
（ｃ）前記超音波動画のリアルタイムサービスプログラムにおいて超音波映像サービスの始動信号を入力した後超音波映像を撮影し，撮影した超音波映像とバーコードを前記ＰＣに接続した中央サーバーに送る段階と；
（ｄ）前記中央サーバーで前記バーコードに対応するシリアルナンバーに対応付けて受信された超音波映像を保存する段階と；
（ｅ）インターネット通信網により前記中央サーバーと接続可能なＰＣで前記ＣＤの挿入によって前記ＣＤに保存された基本コンテンツを読み込み前記中央サーバーに自動接続する段階；及び
（ｆ）前記ＣＤに保存されたシリアルナンバーと対応する動画を前記中央サーバーからストリーミング又はダウンロードする段階；を含むことを特徴とする。
【００１１】
前記超音波動画のリアルタイムサービス方法は，
（ｇ）前記中央サーバーでインターネット通信網を介して開設した超音波動画のリアルタイムサービスコンテンツを介して入会及び会員登録を受ける段階と；
（ｈ）前記超音波動画リアルタイムのサービスコンテンツに接続時アイディー（ＩＤ）及びパスワードを入力して認証過程を遂行する段階と；
（ｉ）前記ＣＤに保存されたシリアルナンバーを入力して認証過程を遂行する段階；及び
（ｊ）前記シリアルナンバーに対応する超音波動画をストリーミング又はダウンロードする段階；をさらに含むことを特徴とする。
【００１２】
前記超音波動画のリアルタイムサービス方法は，（ｂ１）前記（ｂ）段階で前記ＣＤのバーコードを前記バーコードリーダーを介して読み込めば前記ＰＣのモニターに電子署名することができる署名入力ウインドウを生成する段階；及び（ｂ２）前記署名入力ウインドウに署名を入力すれば前記シリアルナンバーに対応する超音波動画をダウンロードできる承認過程を遂行する段階；をさらに含むことを特徴とする。
【００１３】
又，前記目的を果たすための本発明による超音波動画のリアルタイムサービスシステムは，インターネットを介して超音波動画のリアルタイムサービスを利用することができる基本コンテンツとシリアルナンバーが保存され，前記シリアルナンバーに対応するバーコードを表面に表示したＣＤと；
前記ＣＤのバーコードを読み込むバーコードリーダーと，超音波を撮影する超音波機器を含んだ医療機器とが接続されていて，内部に保存された超音波動画のリアルタイムサービスプログラムにログインした後，超音波映像サービスの始動信号を入力すれば撮影した超音波映像とバーコードを中央サーバーに送る複数のＰＣと；
前記複数のＰＣからネットワーク通信網を介して超音波映像とバーコードを受信し，前記バーコードに対応するシリアルナンバーに対応付けて受信された超音波映像を保存して，インターネットを介して接続した使用者ＰＣから会員認証過程を経た後，入力したシリアルナンバーに対応する超音波動画を前記使用者ＰＣでストリーミング又はダウンロードする中央サーバー；及び
前記ＣＤの挿入によって前記ＣＤに保存された基本コンテンツを読み込み前記超音波動画のリアルタイムサービスコンテンツに自動接続して，前記ＣＤに保存されたシリアルナンバーに対応する超音波動画をストリーミング又はダウンロードする複数の顧客ＰＣ；を含み構成されたことを特徴とする。
【００１４】
前記複数の顧客ＰＣは，前記インターネットを介して前記超音波動画のリアルタイムサービスコンテンツに接続した後，前記超音波動画のリアルタイムサービスコンテンツの案内に従って使用者から会員登録に必要なデータを入力して前記中央サーバーに送信し，前記会員登録が完了した後にアイディー（ＩＤ）及びパスワードを入力して前記中央サーバーに送信し認証過程を遂行して，前記中央サーバーから認証過程が完了した後に付与されたシリアルナンバーを入力して前記中央サーバーに送信し前記シリアルナンバーに対応する超音波動画をストリーミング又はダウンロードすることを特徴とする。
【００１５】
前記中央サーバーは，前記超音波動画のリアルタイムサービスプログラムが保存された動画サービスアプリケーションと；
前記シリアルナンバーを生成するシリアルナンバー生成部と；
前記シリアルナンバーに対応するバーコードを生成するバーコード生成部と；
前記ＣＤに保存される基本コンテンツを保存する基本コンテンツ保存部と；
前記会員が入力したアイディー（ＩＤ）及びパスワードをすでに登録されたアイディー（ＩＤ）及びパスワードと比較して会員認証をする会員認証部と；
前記インターネットに接続するためのインターフェースとして作用するインターネット接続モジュール；及び
前記中央サーバーの各構成要素の動作を制御するＣＰＵ；を含む構成としたことを特徴とする。
【００１６】
前記中央サーバーは，会員の情報を保存する会員情報ＤＢ；及び前記超音波動画をシリアルナンバー別で区分して保存する動画情報ＤＢ；を含む構成としたことを特徴とする。
【００１７】
又，前記目的を達成するための本発明による超音波動画のリアルタイムサービス方法に関するコンピュータプログラムを保存した記録媒体は，特許請求の範囲の請求項１ないし請求項３いずれか一項に記載した超音波動画のリアルタイムサービス方法に関するコンピュータプログラムを保存した記録媒体であることを特徴とする。
【発明の効果】
【００１８】
上述した本発明による超音波動画リアルタイムサービスシステム及びその方法とその方法に関するコンピュータプログラムを保存した記録媒体によれば，産婦が病院で超音波診療を受ける際にインターネットを介して産婦の家族などが超音波動画をリアルタイムで見ることができる。
【００１９】
又，産婦が病院から受領した基本コンテンツとシリアルナンバーが保存されたＣＤをインターネットにアクセスが可能なＰＣに入れれば自動で病院の中央サーバーにログインし，前記シリアルナンバーに対応する産婦の超音波動画をストリーミング又はダウンロードすることができる。
【００２０】
又，病院で産婦に支給した基本コンテンツとシリアルナンバーが保存されたＣＤを診療時に持参すると医師が超音波診療を行う際，ＣＤに表示したバーコードをＰＣと接続したバーコードリーダーにより読み込んだ後，超音波映像を撮影すれば，撮影された超音波映像が病院の中央サーバーに送信され，読み込まれたバーコードに対応するシリアルナンバーとともに保存され，インターネットを介してストリーミング又はダウンロードすることができる。      
【発明を実施するための最良の形態】
【００２１】
以下，添付した図面に基づき，本発明の望ましい実施形態について詳細に説明する。
【００２２】
〔実施形態１〕
[超音波動画のリアルタイムサービスシステム]
図１は，本発明の望ましい実施形態による超音波動画のリアルタイムサービスシステムの構成図である。
【００２３】
本発明の超音波動画のリアルタイムサービスシステムは，図１に示すように，基本コンテンツ１１とシリアルナンバー１２が保存されバーコード１３が表示されたＣＤ１０と，バーコードリーダー１２１，超音波機器１２２などがそれぞれ接続された複数の診療室ＰＣ１２０をそれぞれ具備した第１ないし第ｎ診療室（２０−１〜２０−ｎ）と，中央サーバー３０と，会員情報ＤＢ４１，動画情報ＤＢ４２などを具備したＤＢグループ４０と，インターネット５０及び複数の顧客ＰＣ（６０−ｎ）を含み構成する。
【００２４】
ここで，前記ＣＤ１０は，インターネットを介して超音波動画のリアルタイムサービスを利用することができる基本コンテンツ１１とシリアルナンバー１２が保存され，前記シリアルナンバー１１に対応するバーコード１３が表面に表示されており，最初の診療の時に病院で診療を受けた産婦に発給する。
【００２５】
前記複数の診療室ＰＣ１２０は，内部に保存された超音波動画のリアルタイムサービスプログラムにログインした後，前記ＣＤ１０のバーコード１３をバーコードリーダー１２１で読み込み，超音波映像サービスの始動信号を入力すれば撮影した超音波映像とバーコードをネットワーク通信網を介して病院の中央サーバー３０へ送る。
【００２６】
前記中央サーバー３０は，前記複数の診療室ＰＣ１２０からネットワーク通信網を介して超音波映像とバーコードを受信し，前記バーコードに対応するシリアルナンバーに受信された超音波映像を保存して，インターネットを介して超音波動画のリアルタイムサービスコンテンツを運営して，前記インターネットを介して接続した使用者から会員認証過程を経た後，入力したシリアルナンバーに対応する超音波動画をストリーミング又はダウンロードできる機能を提供する。そして，前記中央サーバー３０は，会員の情報を保存する会員情報ＤＢ４１と，前記超音波動画をシリアルナンバー別で区分して保存する動画情報ＤＢ４２を含み構成する。
【００２７】
前記複数の顧客ＰＣ（６０−ｎ）は，前記ＣＤ１０が挿入されることにより前記ＣＤ１０に保存された基本コンテンツによって前記病院の超音波動画のリアルタイムサービスコンテンツに自動接続して前記ＣＤ１０に保存されたシリアルナンバーと対応する超音波動画をストリーミング又はダウンロードする。
【００２８】
〔実施形態２〕
[中央サーバー３０]
図２は，図１に示した中央サーバー３０の構成図である。
【００２９】
前記中央サーバー３０は，図２に示したように，動画サービスアプリケーション３１，シリアルナンバー生成部３２，バーコード生成部３３，基本コンテンツ保存部３４，会員認証部３５，インターネット接続モジュール３６，ＣＰＵ３７などを含み構成する。
【００３０】
ここで，前記動画サービスアプリケーション３１は，前記超音波動画のリアルタイムサービスプログラムを保存しており，前記シリアルナンバー生成部３２は，前記バーコードに対応するシリアルナンバーを生成する。そして，前記バーコード生成部３３は，前記シリアルナンバーに対応するバーコードを生成して，前記基本コンテンツ保存部３４は，前記ＣＤ１０に保存する基本コンテンツを保存している。
【００３１】
又，前記会員認証部３５は，前記会員が入力したアイディー（ＩＤ）及びパスワードをすでに登録されたアイディー（ＩＤ）及びパスワードと比較して会員認証をする。又，前記インターネット接続モジュール３６は，前記インターネットに接続するためのインターフェースの役目をし，前記ＣＰＵ３７は，前記中央サーバー３０の各構成要素の動作を制御する役目をする。
【００３２】
前記構成のような本発明の望ましい実施形態による超音波動画のリアルタイムサービスシステムは，前記病院の中央サーバー３０にネットワーク通信網で接続して，インターネット通信が可能な病院の診療室ＰＣ１２０にバーコードリーダー１２１と超音波機器１２２などを接続して設置して，前記ＣＤ１０には，あらかじめ基本コンテンツとシリアルナンバーを入力しておいて前記ＣＤ１０の表面に前記シリアルナンバーに対応するバーコードを表示した後，病院に診療を受けに来る産婦（顧客）に配付する。
【００３３】
そして，産婦が病院から受領した前記ＣＤ１０を持参し病院の診療室へ来ることにより，担当医師は超音波診療を開始する際前記ＣＤ１０に表示したバーコードを前記バーコードリーダー１２１を利用して入力する。この時，前記診療室ＰＣ１２０は，超音波動画のリアルタイムサービスプログラムがログイン状態で維持される。
【００３４】
次に，前記超音波動画のリアルタイムサービスプログラムから提供される超音波動画サービスの始動信号を入力した後超音波映像を撮影することにより撮影された超音波映像とバーコードが病院の中央サーバー３０に送信される。
【００３５】
前記中央サーバー３０では，前記診療室ＰＣ１２０から受信された超音波動画を前記バーコードに対応するシリアルナンバー別で前記動画情報ＤＢ４２に保存する。
【００３６】
その後，前記病院で診療を終えて帰宅した産婦（顧客）がインターネットにアクセスが可能なＰＣに前記ＣＤ１０を挿入することにより前記ＣＤに保存された基本コンテンツによって前記病院の超音波動画のリアルタイムサービスコンテンツに自動接続され，前記ＣＤ１０に保存されたシリアルナンバーと対応する超音波動画を前記中央サーバー３０からストリーミング又はダウンロードして利用に供する。
【００３７】
〔実施形態３〕
[診療時の超音波動画の保存方法]
図３は，本発明の超音波動画のリアルタイムサービスを提供する病院で診療の時産婦に支給したＣＤに表示したバーコードを読み込み超音波映像を撮影した後保存する方法を示す図である。
【００３８】
前記超音波動画の保存方法は，図３に示すように，インターネットを介して超音波動画のリアルタイムサービスを利用することができる基本コンテンツとシリアルナンバーが保存され，前記シリアルナンバーに対応するバーコードを表面に表示したＣＤ１０を製作して病院で診療を受ける産婦に提供する（段階Ｓ１０）。
【００３９】
次いで，前記病院の診療室ＰＣ１２０で超音波動画のリアルタイムサービスプログラムにログインした後，前記産婦が持参した前記ＣＤ１０のバーコード１３を前記診療室ＰＣ１２０と接続したバーコードリーダー１２１で読み込む（段階Ｓ１２）。
【００４０】
次いで，前記超音波動画のリアルタイムサービスプログラムにおいて超音波映像サービスの始動信号を入力（段階Ｓ１４）した後，超音波映像を撮影し，撮影した超音波映像とバーコードを病院の中央サーバー３０へ送る（段階Ｓ１６）。
【００４１】
次いで，前記中央サーバー３０が，前記バーコード１３に対応するシリアルナンバーに受信された超音波映像を保存する（段階Ｓ１８）。
【００４２】
一方，前記段階Ｓ１２で，前記ＣＤ１０のバーコード１３を前記バーコードリーダー１２１で読み込むことにより前記診療室ＰＣ１２０のモニターに電子署名することができる署名入力ウインドウが開かれ，前記署名入力ウインドウに前記産婦が署名を入力することにより，動画をダウンロードできる承認が成り立つ段階をさらに含み構成することもできる。
【００４３】
〔実施形態４〕
[超音波動画のリアルタイム視聴方法]
図４は，本発明の超音波動画のリアルタイムサービスを提供する病院のインターネットサイトに産婦の家族などが接続して産婦の超音波動画をリアルタイムで見る方法を示す図である。
【００４４】
前記超音波動画のリアルタイム視聴方法は，図４に示すように，前記産婦の家族がインターネットを介して前記病院の超音波動画リアルタイムサービスコンテンツに接続する（段階Ｓ２０ないしＳ２２）。
【００４５】
その時，使用者が会員の場合（段階Ｓ２４の“はい”）にはアイディー（ＩＤ）及びパスワードを入力して認証過程を遂行して（段階Ｓ２４ないしＳ２８），会員ではない場合（段階Ｓ２４の“いいえ”）には会員登録を行った後（段階Ｓ３６及びＳ３８）アイディー（ＩＤ）及びパスワードを入力して認証過程を遂行する（段階Ｓ２４ないしＳ２８）。
【００４６】
次いで，前記産婦に付与されたシリアルナンバーを入力して認証過程を遂行する（段階Ｓ３０及びＳ３２）。
【００４７】
次いで，前記中央サーバー３０から前記シリアルナンバーに対応する超音波動画をストリーミング又はダウンロードして利用に供する（段階Ｓ３４）。
【００４８】
〔実施形態５〕
[超音波動画のストリーミング又はダウンロード方法]
図５は，本発明の超音波動画リアルタイムサービスを提供する病院から支給を受けたＣＤをインターネットにアクセスが可能なＰＣに挿入して病院の中央サーバーに保存された産婦の超音波動画をストリーミング又はダウンロードする方法を示す図である。
【００４９】
前記超音波動画のストリーミング又はダウンロード方法は，図５に示すように，病院で診療を終えて帰宅した産婦がインターネットにアクセスが可能なＰＣに前記ＣＤ１０を挿入することにより（段階Ｓ４０），前記ＣＤ１０に保存された基本コンテンツによって前記病院の超音波動画リアルタイムサービスコンテンツに自動的に接続される（段階Ｓ４２）。
【００５０】
次に，前記中央サーバー３０から前記ＣＤ１０に保存されたシリアルナンバーと対応する動画を前記超音波動画リアルタイムサービスコンテンツを介してストリーミング又はダウンロードする（段階Ｓ４０）。
【００５１】
本発明は，前記に記述された実施形態によって限定されず，当業者により多様な変形及び変更を行うことができる。これらは，添付された特許請求の範囲で定義されている本発明の主旨と範囲に含まれるものとみなされる。
【図面の簡単な説明】
【００５２】
【図１】本発明の望ましい実施形態による超音波動画リアルタイムサービスシステムの構成図，
【図２】図１に示した中央サーバーの構成図，
【図３】本発明の超音波動画リアルタイムサービスを提供する病院で診療の時に産婦に支給したＣＤに表示したバーコードを読み込み超音波映像を撮影した後保存する方法を示す図，
【図４】本発明の超音波動画リアルタイムサービスを提供する病院のインターネットサイトに産婦の家族などが接続して産婦の超音波動画をリアルタイムで見る方法を示す図，及び，
【図５】本発明の超音波動画リアルタイムサービスを提供する病院で支給されたＣＤをインターネットにアクセスが可能なＰＣに挿入して病院の中央サーバーに保存された産婦の超音波動画をストリーミング又はダウンロードする方法を示す図。
【符号の説明】
【００５３】
１０  ：  ＣＤ又は基本コンテンツとシリアルナンバーが保存され，バーコードが添付ないし表示されたＣＤ
１１  ：  基本コンテンツ
１２  ：  シリアルナンバー
１３  ：  バーコード
２０−１〜２０−ｎ  ：  第１ないしｎ診療室
３０  ：  中央サーバー
３１  ：  動画サービスアプリケーション
３２  ：  シリアルナンバー生成部
３３  ：  バーコード生成部
３４  ：  基本コンテンツの保存部
３５  ：  会員認証部
３６  ：  インターネット接続モジュール
３７  ：  ＣＰＵ
４０  ：  ＤＢグループ
４１  ：  会員情報ＤＢ
４２  ：  動画情報ＤＢ
５０  ：  インターネット
６０−１〜６０−ｎ  ：  顧客ＰＣ
１２０  ：  診療室ＰＣ
１２１  ：  バーコートリーダー
１２２  ：  超音波機器
【図１】
0004597161.tif 000002
【図２】
0004597161.tif 000003
【図３】
0004597161.tif 000004
【図４】
0004597161.tif 000005
【図５】
0004597161.tif 000006